(57)【特許請求の範囲】
【請求項１】
ＬＣＤ(Liquid Crystal Display)パネルで変調された光をスクリーンに拡大投写するものにおいて、前記ＬＣＤパネル等を格納する筐体の上面に設けられ、エアスプレーのノズルの先端を挿着するためのノズル口と、基端を前記ノズル口に連結し、先端を前記ＬＣＤパネルの上方に配置したエアパイプとからなり、前記エアスプレーより噴射させたエアを前記エアパイプを介して前記ＬＣＤパネルに吹きつけＬＣＤパネルに付着した塵埃を吹き飛ばし、吹き飛ばされた塵埃を吸着するように前記ＬＣＤパネルの下方に塵埃吸着体を設けるようにしたＬＣＤパネルの塵埃除去装置。
【請求項２】
前記エアパイプを柔軟性を有する部材で形成すると共に、前記ＬＣＤパネルの上方に配置され、エアパイプの先端部を保持する保持具と、前記筐体の上面に設けられ、ウオームギアを先端に取付けた第１シャフトを回転操作するためのハンドルと、前記ウオームギアと噛合する歯車を取付けると共に、前記保持具に穿設された孔を貫通し該孔壁に形成されたネジ溝と噛合するネジ山を設けた第２シャフトとを設けてなり、前記ハンドル操作による第１シャフトの回転に基づき第２シャフトを回転させ、第２シャフトのネジ山と保持具のネジ溝との螺合により、保持具を前記ＬＣＤパネル面と平行に移動させるようにし、エアパイプの先端を適宜の位置に移動させ、前記エアスプレーよりエアを噴射させ、ＬＣＤパネルに付着した塵埃を除去するようにした請求項１記載のＬＣＤパネルの塵埃除去装置。
【請求項３】
前記第２シャフトの回転方向および回転数に基づき前記エアパイプの先端の位置を検出する位置センサを設け、表示信号生成部を設けて位置センサよりの信号に基づきエアの吹きつけ位置を表示する信号を生成し、前記ＬＣＤパネルを光変調駆動するための内蔵の信号処理回路で表示信号生成部よりの信号を合成し、ＬＣＤパネルによる変調光で投写画面の該当位置に表示するようにした請求項２記載のＬＣＤパネルの塵埃除去装置。
【発明の詳細な説明】
【０００１】
【発明の属する技術分野】
本発明はＬＣＤ(Liquid Crystal Display)パネルの塵埃除去装置に係り、ＬＣＤパネルにエアを吹きつけ、ＬＣＤパネルに付着した映像の邪魔になる塵埃を除去するものに関する。
【０００２】
【従来の技術】
液晶プロジェクタでは、ＬＣＤパネルを冷やすために常時冷却ファンを動作させている。通常、冷却ファンは外気を吸い込み筐体内に送風する形式が用いられるが、塵埃が筐体内に入るのを防ぐため、吸気口にはフィルタが取付けられる。しかし、目の細かいフィルタを用いると吸気性能が悪くなるのでやや荒い目のフィルタを用いることが多く、このため、塵埃が筐体内に入り込み、ＬＣＤパネル等に付着し、投射映像に塵埃の影が映り邪魔になる場合がある。ＬＣＤパネルに付着した塵埃を除去するにはカバーを外さねばならず、カバーを外したために塵埃の除去中に塵埃が再付着するおそれもあり、再付着したかどうかは映像を投射してみなければわからない等、塵埃の除去には困難な問題があった。
【０００３】
【発明が解決しようとする課題】
本発明はこのような点に鑑み、ＬＣＤパネルに付着した塵埃をカバーを外さずに除去できるようにすることを目的とする。
【０００４】
【課題を解決するための手段】
上記目的を達成するため、本発明のＬＣＤパネルの塵埃除去装置では、ＬＣＤパネルで変調された光をスクリーンに拡大投写するものにおいて、ＬＣＤパネル等を格納する筐体の上面に設けられ、エアスプレーのノズルの先端を挿着するためのノズル口と、基端を前記ノズル口に連結し、先端を前記ＬＣＤパネルの上方に配置したエアパイプとからなり、エアスプレーより噴射させたエアをエアパイプを介してＬＣＤパネルに吹きつけ、ＬＣＤパネルに付着した塵埃を除去するように構成する。
【０００５】
そして、ＬＣＤパネルの下方に塵埃吸着体を設け、エアスプレーからのエアで吹き飛ばされた塵埃を吸着するようにする。なお、塵埃吸着体には、静電気を帯びた塵埃を吸着するための静電気シートを用いるようにしてもよい。
【０００６】
また、エアパイプを柔軟性を有する部材で形成すると共に、ＬＣＤパネルの上方に配置され、エアパイプの先端部を保持する保持具と、筐体の上面に設けられ、ウオームギアを先端に取付けた第１シャフトを回転操作するためのハンドルと、前記ウオームギアと噛合する歯車を取付けると共に、前記保持具に穿設された孔を貫通し該孔壁に形成されたネジ溝と噛合するネジ山を設けた第２シャフトとを設けてなり、ハンドル操作による第１シャフトの回転に基づき第２シャフトを回転させ、第２シャフトのネジ山と保持具のネジ溝との螺合により、保持具をＬＣＤパネル面と平行に移動させるようにし、エアパイプの先端を適宜の位置に移動させ、エアスプレーよりエアを噴射させ、ＬＣＤパネルに付着した塵埃を除去するようにしてもよい。
【０００７】
さらに、ノズル口の内側に、弾性を有する部材で形成され一端を筐体に固定した塵埃遮断弁を設け、エアスプレーによるエア噴射にて弯曲し、エアパイプにエアを通し、エア非噴射にてノズル口を塞ぎ、塵埃の侵入を防止するようにする。なお、塵埃遮断弁は弾性を有する合成ゴムで形成してもよく、また、塵埃遮断弁の下面に付勢バネを取付け、エア非噴射時にノズル口に隙間が生じないようにしてもよい。
【０００８】
または、ノズル口を弾性を有する部材で形成し、ノズルの挿着にて開き、エアスプレーよりのエアをエアパイプに通し、ノズルの抜去にて閉じ、塵埃の侵入を防止するようにしてもよい。なお、ノズル口を弾性を有する合成ゴムで形成するようにしてもよい。
【０００９】
そして、ノズル口の内部に塵埃遮断フィルタを設け、ノズル口からの塵埃の侵入を防止するようにする。
【００１０】
なお、第２シャフトの回転方向および回転数に基づきエアパイプの先端の位置を検出する位置センサを設け、表示信号生成部を設けて位置センサよりの信号に基づきエアの吹きつけ位置を表示する信号を生成し、ＬＣＤパネルを光変調駆動するための内蔵の信号処理回路で表示信号生成部よりの信号を合成し、ＬＣＤパネルによる変調光で投写画面の該当位置に表示するようにしてもよい。
【００１１】
【発明の実施の形態】
発明の実施の形態を実施例に基づき図面を参照して説明する。
図１は本発明によるＬＣＤパネルの塵埃除去装置の一実施例の要部構成図（液晶プロジェクタ装置の部分側面図）である。図において、１は液晶プロジェクタの筐体、２はＬＣＤパネル、３は圧縮されたエアを噴射するエアスプレー、４はエアスプレー３のノズル、５はノズル４の先を挿着するためのノズル口、６はノズル口５に連結されエアを通すための柔軟性を有する部材で形成されたエアパイプ、７はエアパイプ６の先端（エア吹出口）、８は先端７を保持する保持具、９はＬＣＤパネル２の下方に配置された塵埃吸着体で、例えば、静電気を帯びた塵埃を吸着するための静電気シート、10はノブ11の操作で回転するハンドル、12はハンドル10に連結され矢印Ａの如くに回転する第１シャフト、13は第１シャフト12の先端に取付けたウオームギア、14は保持具８に穿設された孔15を貫通しこの孔15の壁に形成されたネジ溝と噛合するネジ山16を設けた第２シャフトで、ハンドル10の操作による第１シャフト12の回転に基づき回転し、ネジ山16と保持具８のネジ溝との螺合により保持具８をＬＣＤパネル２の面と平行に移動させるもの、17は第２シャフト14に固着されウオームギア13と噛合する歯車、18は第２シャフト14の回転方向および回転数に基づきエアパイプ６の先端７の位置を検出する位置センサである。
【００１２】
次に、本発明によるＬＣＤパネルの塵埃除去装置の動作を説明する。ＬＣＤパネル２に塵埃が付着した場合、図２に示す如くスクリーンの投写映像に塵埃の影21が映る。第２シャフト14には位置センサ18が取付けられており、第２シャフト14の回転方向および回転数を検出し、検出データに基づきエアパイプ６の先端７の位置を検出する。この信号は表示信号生成部（図示せず）に入力し、エアの吹き出し位置を表示する信号を生成し、ＬＣＤパネル２を光変調駆動するため内蔵されている信号処理回路に入力し、合成し、スクリーンにエアの吹き出し位置を示すマーク22（図２参照）を表示するようにする。
【００１３】
そこで、ノブ11の操作でハンドル10を回す。ハンドル10の回転で第１シャフト12は矢印Ａの如く回転し、ウオームギア13とこれに噛合する歯車17を介して第２シャフト14が回転し、第２シャフト14のネジ山16と保持具８のネジ溝との螺合により、保持具８がエアパイプ６の先端７を保持した状態で矢印ａの方向に動く。スクリーンのマーク22の位置（先端７、すなわちエアの吹き出し口）が塵埃21の位置に合うようにハンドル10の操作で移動させる。エアスプレー３のノズル４をノズル口５に挿着し、エアを噴射させれば、エアはノズル口５からエアパイプ６を通り、先端７から吹き出され、ＬＣＤパネル２に付着している塵埃を吹き飛ばす。吹き飛ばされた塵埃は塵埃吸収体（静電気シート等）９に吸着される。
【００１４】
図３および図４はノズル口５の例を示す詳細図である。図３の例では、ノズル口５の内側に塵埃遮断弁31を設ける。塵埃遮断弁31は弾性を有する部材、例えば、合成ゴムで形成し、一端（図の右端）を筐体１に固定する。塵埃遮断弁31は通常時は図の（イ）の如くノズル口５を塞いでおり、ノズル口５から筐体内に塵埃が侵入するのを防止するが、図の（ロ）の如く、ノズル４が挿着されエアが噴射されたとき風圧で弯曲し、ノズル口５が開き、エアはエアパイプ６に送られる。なお、32は付勢バネで、エアを噴射しない時に塵埃遮断弁31が自重で下方に弯曲し、ノズル口５に隙間ができるのを防止する。33は塵埃遮断フィルタで、エアと共に塵埃が吹き込まれた場合に塵埃が筐体１内に侵入するのを防止する。
図４の例は、ノズル口５を弾性を有する部材、例えば、合成ゴムで形成し、ノズル４が挿着されない場合は図の（イ）のように先端が合わさって口を閉じ、塵埃が入らないようにいし、ノズル４を挿着すれば、ノズル４の押圧で（ロ）の如くに開き、ノズル４からのエアがエアパイプ６に送り込まれるようにする。
【００１５】
なお、ＬＣＤパネル２を赤、緑および青用の三枚用いる場合、ハンドル10、第１、第２シャフト12、14、保持具８等を赤、緑および青用に三組設け、エアパイプ６を途中で三分岐するか、または、ノズル口５およびエアパイプ６を三組設け、各色のＬＣＤパネルの塵埃を除去できるようにする。
【００１６】
【発明の効果】
以上に説明したように、本発明によるＬＣＤパネルの塵埃除去装置によれば、ＬＣＤパネルに塵埃が付着し、投写映像に影が映った場合、エアスプレーを使って筐体のカバーを開けずにＬＣＤパネルの塵埃を除去することができ、エアで吹き飛ばされた塵埃は塵埃吸着体に吸着されるのでＬＣＤパネルに再付着しないものであるから、カバーを開けてＬＣＤパネルに新たに塵埃が付着しないように注意しながら塵埃除去作業をするという面倒な手間が不要となる。
【図面の簡単な説明】
【図１】本発明によるＬＣＤパネルの塵埃除去装置の一実施例の要部構成図である。
【図２】エア吹き出し位置の表示の一例である。
【図３】ノズル口５の一例の要部断面図である。
【図４】ノズル口５の他の例の要部断面図である。
【符号の説明】
１  筐体
２  ＬＣＤパネル
３  エアスプレー
４  ノズル
５  ノズル口
６  エアパイプ
７  エアパイプ６の先端
８  保持具
９  塵埃吸着体（静電気シート）
10  ハンドル
11  ノブ
12  第１シャフト
13  ウオームギア
14  第２シャフト
15  孔
16  ネジ山
17  歯車
18  位置センサ
21  塵埃の影
22  吹き出し位置を示すマーク
31  塵埃遮断弁
32  付勢バネ
33  塵埃遮断フィルタ
【図１】
0004238419.tif 000002
【図２】
0004238419.tif 000003
【図３】
0004238419.tif 000004
【図４】
0004238419.tif 000005